(57)【特許請求の範囲】
【請求項１】
貯蔵物を貯蔵する貯蔵室と、前記貯蔵室に吐出される冷気が流通する冷気通路とを備え、前記冷気通路が前記貯蔵室の壁面に沿って分岐する第１分岐通路及び第２分岐通路を有する冷蔵庫において、
前面を覆う前面パネルの背面に配した断熱材により第１分岐通路及び第２分岐通路を形成して前記貯蔵室の壁面に取り付けられるダクトユニットを設け、
電装部品を制御する制御回路を有した制御基板が、前記前面パネルの背面側に設けられているとともに、前記ダクトユニットの第１分岐通路の周壁部を形成する前記断熱材と第２分岐通路の周壁部を形成する前記断熱材との間に形成された空間部に取り付けられることを特徴とする冷蔵庫。
【請求項２】
一面を開口して前記制御基板を収納する収納部と、前記収納部を閉じる蓋部と有した電装ボックスを備え、前記電装ボックスが第１分岐通路と第２分岐通路との間に固定されることを特徴とする請求項１に記載の冷蔵庫。
【請求項３】
前記前面パネルの背面に突出してネジ孔が形成される一の突出部を設け、
前記収納部及び前記蓋部にそれぞれ設けた第１挿通孔及び第２挿通孔を前記突出部に挿通し、前記ネジ孔にネジを螺合して前記収納部と前記蓋部とを一体に固定したことを特徴とする請求項２に記載の冷蔵庫。
【請求項４】
前記前面パネルの背面側に前記制御基板を収納する収納部を一体に形成し、前記収納部を覆う蓋部を設けたことを特徴とする請求項１に記載の冷蔵庫。
【請求項５】
前記制御回路を実装する実装面が垂直になるように前記制御基板を配置するとともに前記制御回路はコイル及びパワートランジスタを有し、前記コイル及び前記パワートランジスタを前記実装面の下部に配置したことを特徴とする請求項１〜請求項４のいずれかに記載の冷蔵庫。
【発明の詳細な説明】
【技術分野】
【０００１】
本発明は、冷気通路が貯蔵室の壁面に沿って分岐する冷蔵庫に関する。
【背景技術】
【０００２】
従来の冷蔵庫は特許文献１に開示されている。この冷蔵庫は上部に冷蔵室（貯蔵室）が配され、冷蔵室の下方に冷凍室（貯蔵室）が配される。冷凍室及び冷蔵室の背後には上下に延びる冷気通路が配され、冷気通路には冷却器及び送風機が配される。冷却器で熱交換して生成された冷気は送風機の駆動によって冷気通路内を流通する。冷蔵室の下部には戻り口が開口し、戻り口から下方に延びて冷却器に冷気を戻す戻り通路が設けられる。
【０００３】
冷気通路は冷蔵室の背面側で右通路（第１分岐通路）及び左通路（第２分岐通路）に分岐し、右通路及び左通路には冷蔵室に臨む複数の吐出口が開口する。これにより、冷蔵室内に冷気を十分に行き渡らせることができる。右通路と左通路との間にはＬＥＤを有する照明装置が配される。
【０００４】
冷蔵庫の後部下端部には機械室が設けられ、機械室には圧縮機及び制御基板が配される。圧縮機は冷却器に接続されて冷凍サイクルを運転する。制御基板は送風機、圧縮機及び照明装置を制御する制御回路を有する。すなわち、制御基板は電装部品を制御する制御回路を有する。制御回路と電装部品とは配線により接続される。
【０００５】
特許文献２に記載の冷蔵庫は内箱と外箱との間に発泡断熱材を充填した断熱箱体を有し、断熱箱体の上下方向の中央部で貯蔵室の背後に制御基板を収納する収納部を備えている。収納部は外箱の一部が内箱に向かって窪んだ窪み部により形成されている。これにより、制御基板を機械室に配した特許文献１に記載の冷蔵庫よりも制御回路と電装部品とを接続する配線の長さを短くすることができる。
【先行技術文献】
【特許文献】
【０００６】
【特許文献１】特開２０１２−２３９４号公報（第５頁、第６頁、第１図、第２図）
【特許文献２】特開２００６−６４３７９号公報（第９頁、第１０頁、第１図）
【発明の概要】
【発明が解決しようとする課題】
【０００７】
しかしながら、上記従来の冷蔵庫によると、収納部は外箱の一部が内箱に向かって窪んで形成されるため、収納部において発泡断熱材の厚みを確保すると、収納部に対向する部分の内箱が貯蔵室内に向かって突出する。このため、貯蔵室の容積効率が低下する問題があった。
【０００８】
本発明は、貯蔵室の容積効率を低下させることなく組立性を向上できる冷蔵庫を提供することを目的とする。
【課題を解決するための手段】
【０００９】
上記目的を達成するために本発明は、貯蔵物を貯蔵する貯蔵室と、前記貯蔵室に吐出される冷気が流通する冷気通路とを備え、前記冷気通路が前記貯蔵室の壁面に沿って分岐する第１分岐通路及び第２分岐通路を有する冷蔵庫において、前面を覆う前面パネルの背面に配した断熱材により第１分岐通路及び第２分岐通路を形成して前記貯蔵室の壁面に取り付けられるダクトユニットを設け、電装部品を制御する制御回路を有した制御基板が前記ダクトユニットの第１分岐通路と第２分岐通路との間に取り付けられることを特徴としている。
【００１０】
また本発明は、上記構成の冷蔵庫において、一面を開口して前記制御基板を収納する収納部と、前記収納部を閉じる蓋部と有した電装ボックスを備え、前記電装ボックスが第１分岐通路と第２分岐通路との間に固定されると好ましい。
【００１１】
また本発明は、上記構成の冷蔵庫において、前記収納部及び前記蓋部が難燃性を有するとより好ましい。
【００１２】
また本発明は、上記構成の冷蔵庫において、前記前面パネルの背面に突出してネジ孔が形成される一の突出部を設け、前記収納部及び前記蓋部にそれぞれ設けた第１挿通孔及び第２挿通孔を前記突出部に挿通し、前記ネジ孔にネジを螺合して前記収納部と前記蓋部とを一体に固定すると好ましい。
【００１３】
また本発明は、上記構成の冷蔵庫において、前記前面パネルの背面側に前記制御基板を収納する収納部を一体に形成し、前記収納部を覆う蓋部を設けると好ましい。
【００１４】
また本発明は、上記構成の冷蔵庫において、前記前面パネル及び前記蓋部が難燃性を有するとより好ましい。
【００１５】
また本発明は、上記構成の冷蔵庫において、前記制御回路を実装する実装面が垂直になるように前記制御基板を配置するとともに前記制御回路はコイル及びパワートランジスタを有し、前記コイル及び前記パワートランジスタを前記実装面の下部に配置すると好ましい。
【００１６】
また本発明は、上記構成の冷蔵庫において、冷凍サイクルを運転する圧縮機と、冷気を送出する送風機と、前記貯蔵室の温度を検知する温度センサとを備え、前記制御回路により制御される前記電装部品が前記圧縮機、前記温度センサ及び前記送風機を含むと好ましい。
【発明の効果】
【００１７】
本発明によると、前面パネルの背面に配した断熱材により第１分岐通路及び第２分岐通路を形成して貯蔵室の壁面に取り付けられるダクトユニットを設け、制御基板がダクトユニットの第１分岐通路と第２分岐通路との間に取り付けられる。これにより、貯蔵室内に冷気を容易に行き渡らせることができる。また、第１分岐通路と第２通気通路との間のスペースに制御基板を配置し、制御回路と電装部品とを容易に接続することができる。また、貯蔵室に第１分岐通路及び第２分岐通路を形成する際に貯蔵室に制御基板を取り付けることができる。したがって、貯蔵室の容積効率を低下させることなく冷蔵庫の組立性を向上させることができる。
【図面の簡単な説明】
【００１８】
【図１】本発明の第１実施形態の冷蔵庫の内部を示す正面図
【図２】本発明の第１実施形態の冷蔵庫を示す右側面断面図
【図３】本発明の第１実施形態の冷蔵庫のダクトユニットを示す側面断面図
【図４】本発明の第１実施形態の冷蔵庫のダクトユニットを示す背面図
【図５】本発明の第１実施形態の冷蔵庫のダクトユニットの収納部及び蓋部を前面パネルに固定する様子を示す斜視図
【図６】本発明の第２実施形態の冷蔵庫のダクトユニットを示す背面図
【図７】本発明の第３実施形態の冷蔵庫のダクトユニットを示す側面断面図
【発明を実施するための形態】
【００１９】
＜第１実施形態＞
以下に本発明の実施形態を図面を参照して説明する。図１は第１実施形態の冷蔵庫の内部を示す正面図であり、図２は冷蔵庫を示す右側面断面図である。図１において矢印は冷気の流れを示している。冷蔵庫１は外箱１ｂと内箱１ｃとの間に発泡ウレタン等の発泡断熱材９を充填した断熱箱体１ａを有する。断熱箱体１ａにより冷蔵庫１の上部に冷凍室２が形成され、冷凍室２の下方に冷蔵室３が形成される。冷凍室２は回動式の扉（不図示）により開閉され、貯蔵物を冷凍保存する。冷蔵室３は回動式の扉（不図示）により開閉され、貯蔵物を冷蔵保存する。
【００２０】
また、外箱１ｂは塗装鋼板等により形成され、内箱１ｃの外側を覆う。内箱１ｃは樹脂成形品により形成され、内箱１ｃに取り付けられる仕切壁３０により冷凍室２及び冷蔵室３が区分けされる。
【００２１】
仕切壁３０は側面に連通孔（不図示）が開口し、断熱箱体１ａの形成時に連通孔を介して発泡断熱材９が仕切壁３０に充填される。これにより、仕切壁３０が断熱箱体１ａと一体構造になっている。なお、発泡スチロール等の断熱材が予め充填された仕切壁３０を内箱１ｃに取り付けてもよい。
【００２２】
冷蔵室３には貯蔵物を載置する載置棚３１が上下に複数段（本実施形態では４段）設けられる。なお、図１では最上段の載置棚３１の図示を省略している。載置棚３１は冷蔵室３の側壁に設けた支持部材３１ａによって引き出し可能に支持される。
【００２３】
最下段の載置棚３１の下方には上面を開口したケース３２が引き出し可能に配される。ケース３２は例えば樹脂により形成され、上面の開口を介して貯蔵物の出し入れが行われる。また、冷蔵室３の背壁面にはダクトユニット１０が取り付けられるとともに、冷蔵室３内の温度を検知する温度センサ３５が設けられる。
【００２４】
冷蔵室３の下部の背後には機械室５０が設けられる。機械室５０内には圧縮機５１が配される。圧縮機５１には凝縮器、膨張器（いずれも不図示）及び冷却器６が順に接続され、圧縮機５１の駆動によりイソブタン等の冷媒が循環して冷凍サイクルが運転される。これにより、冷却器６が冷凍サイクルの低温側となる。
【００２５】
冷凍室２の後部には背面板８を介して冷気通路７が設けられる。冷蔵室３に配したダクトユニット１０にはダンパ（不図示）を介して冷気通路７に連通する冷気通路１２が設けられる。冷気通路内７内には冷却器６及び送風機５が設置され、背面板８には複数の吐出口２ａ及び戻り口２ｂが開口する。
【００２６】
図３及び図４はダクトユニット１０のそれぞれ右側面断面図及び背面図を示している。図４において実線矢印は冷気の流れを示している。ダクトユニット１０は前面を覆うＡＢＳ樹脂等の前面パネル１１の背面に正面視コ字状の発泡スチロール等の断熱材１３が配される。
【００２７】
前面パネル１１は上部から前方に延びる延設部１４を有し、延設部１４の前端には上方に突出する係合部１１ｅが設けられる。係合部１１ｅを冷蔵室３の天井面に係合し、前面パネル１１の下部に挿通されるネジ１９を冷蔵室３の背壁上に螺合することによりダクトユニット１０が取り付けられる。
【００２８】
前面パネル１１の左右の周縁部には後方に向けてリブ１１ｄが立設され、前面パネル１１の背面にはリブ１１ｄに対向して上下方向に延びるリブ１１ｆ、１１ｇが立設される。リブ１１ｄの後端には複数の係止爪１１ｊが形成される。正面視コ字状の断熱材１３は一方のリブ１１ｄとリブ１１ｆとの間及び他方のリブ１１ｄとリブ１１ｇとの間に挿入され、係止爪１１ｊの係止によって前面パネル１１に取り付けられる。
【００２９】
断熱材１３は前面パネル１１上に沿って配される平坦部１３ａと平坦部１３ａの周縁から後方に突出する周壁部１３ｂとを有している。対向する周壁部１３ｂの間に冷気が流通する冷気通路１２が形成される。ダクトユニット１０の上端は周壁部１３ｂ上を開口して冷気通路１２が冷気通路７（図２参照）に連通するとともに、延設部１４上を前方に延びて形成される。延設部１４の前面には冷気の吐出口１４ａが開口する。
【００３０】
また、正面視コ字状の断熱材１３によって前面パネル１１の後方の冷気通路１２には左右に分岐して上下方向に延びる分岐通路１２ａ（第１分岐通路）及び分岐通路１２ｂ（第２分岐通路）が形成される。分岐通路１２ａ及び分岐通路１２ｂの外側の周壁部１３ｂ上にはそれぞれ吐出口７２ａ及び吐出口７２ｂが開口する。分岐通路１２ａ及び分岐通路１２ｂの下端にはそれぞれ吐出口７３ａ及び吐出口７３ｂが開口する。
【００３１】
前面パネル１１の背面には分岐通路１２ａ及び分岐通路１２ｂの間に空間部１５が形成される。空間部１５の下部には照明装置４０及び温度調節ツマミ１８が配される。照明装置４０は半透明の樹脂から成るランプカバー４１と、ランプカバー４１の後方に配されるＬＥＤ（不図示）とを有する。
【００３２】
温度調整ツマミ１８は前面パネル１１の前面に回転可能に設けられる。温度調整ツマミ１８を回転させることにより冷蔵室３の設定温度を変更することができる。
【００３３】
空間部１５の上部には制御基板２５を収納する電装ボックス２０が設けられる。電装ボックス２０は背面側に開口部を有して制御基板２５が設置される収納部２１と、開口部を塞ぐ蓋部２２とを有している。収納部２１及び蓋部２２は、アメリカ保険業者安全試験所（ＵＬ：Underwriters Laboratories Inc.）規格のグレードＶ０の難燃性樹脂により形成される。
【００３４】
制御基板２５の実装面２５ａには圧縮機５１、送風機５、温度センサ３５、照明装置４０等の電装部品を制御する制御回路２５ｂが実装される。制御回路２５ｂはコイル２５ｃ及びパワートランジスタ２５ｄを有する。制御回路２５ｂと電装部品とは配線８０により接続される。
【００３５】
制御基板２５は実装面２５ａが蓋部２２に面して垂直になるように収納部２１にネジ等により取り付けられる。この時、コイル２５ｃ及びパワートランジスタ２５ｄは実装面２５ａの下部に配される。これにより、比較的重量及び発熱量の大きいコイル２５ｃ及びパワートランジスタ２５ｄを実装面２５ａの上部に配する場合よりも制御基板２５にかかるストレスを低減することができる。したがって、制御基板２５の損傷を低減することができる。
【００３６】
リブ１１ｆ、１１ｇの側面にはそれぞれ互いに対向するように係合部１１ｈが設けられる。また、収納部２１の両側面には係合部１１ｈに係止される係止部２１ｃが設けられる。係止部２１ｃが係合部１１ｈに係止されることにより、収納部２１は前面パネル１１に取り付けられる。
【００３７】
この時、配線８０は蓋部２２の下壁の切欠き部（不図示）と収納部２１の下壁の切欠き部（不図示）とにより形成された孔部（不図示）から電装ボックス２０の外部へ導出される。
【００３８】
図５は、収納部２１及び蓋部２２を前面パネル１１に固定する様子を示す斜視図である。前面パネル１１の背面の下部には一つの突出部１１ａが背方（内箱１ｃ側）に向かって突出して設けられる。突出部１１ａにはネジ孔１１ｂが形成される。
【００３９】
収納部２１及び蓋部２２にはそれぞれ下方（図５において右方）に向かって突出する突設部２１ｂ、２２ｂが設けられる。突設部２１ｂ、２２ｂにはそれぞれ第１挿通孔２１ａ及び第２挿通孔２２ａが設けられる。第１挿通孔２１ａ及び第２挿通孔２２ａを突出部１１ａに挿通した状態で、突出部１１ａのネジ孔１１ｂにネジ１１ｃを螺合することにより、収納部２１と蓋部２２とは前面パネル１１に一体に固定される。すなわち、収納部２１及び蓋部２２は前面パネル１１の１箇所でネジ止めされる。これにより、収納部２１及び蓋部２２を容易に前面パネル１１に固定することができる。
【００４０】
制御基板２５を収納した収納部２１は前面パネル１１の背面に密着して取り付けられるとともに、収納部２１の背面の開口部を閉じた蓋部２２は内箱１ｃに凹設した凹部６０の底面６１（図３参照）に密着して取り付けられる。これにより、収納部２１及び蓋部２２を冷蔵室３に確実に取り付けることができる。また、冷蔵室３内の貯蔵スペースを広く確保することができる。
【００４１】
上記構成の冷蔵庫において、送風機５を駆動させると、冷却器６で熱交換により生成された冷気が冷気通路７内を流通し、開口部２ａを介して冷凍室２内に吐出される。これにより、冷凍室２内の貯蔵物を冷凍保存することができる。冷凍室２内を流通した冷気は戻り口２ｂを介して冷却器６に戻る。
【００４２】
冷気通路７を流通する冷気の一部はダンパを介して冷気通路１２に流入する。冷気通路１２を流通する冷気の一部は吐出口１４ａを介して冷蔵室３内に流入する。また、冷気は分岐通路１２ａ及び分岐通路１２ｂを流通し、吐出口７２ａ、７３ａ、７２ｂ、７３ｂを介して冷蔵室３内に流入する。これにより、冷蔵室３内の全体に冷気が行き渡り、貯蔵物を確実に冷蔵保存することができる。
【００４３】
この時、温度センサ３５の入力に基づいて制御基板２５の制御回路２５ｂは圧縮機５１及び送風機５を制御する。例えば、冷蔵室３内の温度が所定の上限温度（例えば５℃）よりも高くなった場合には制御回路２５ｂは圧縮機５１及び送風機５を駆動させる。一方、冷蔵室３の温度が所定の下限温度（例えば３℃）よりも低くなった場合には制御回路２５ｂは圧縮機５１及び送風機５を停止させる。
【００４４】
また、制御回路２５ｂは冷蔵室３の扉の開閉を検知する扉センサ（不図示）の入力に基づいて照明装置４０を制御する。具体的には、冷蔵室３の扉が開かれると、制御回路２５ｂはＬＥＤに通電して照明装置４０を点灯する。これにより、使用者は冷蔵室３内の貯蔵物を容易に視認することができる。また、冷蔵室３の扉が閉じられると、制御回路２５ｂはＬＥＤへの通電を解除して点灯状態の照明装置４０を消灯する。
【００４５】
この時、分岐通路１２ａと制御基板２５との間及び分岐通路１２ｂと制御基板２５との間には断熱材１３が配されているため、制御回路２５ｂの熱による冷気の温度上昇を防止することができる。なお、制御回路２５ｂで発生した熱の前面パネル１１を介した冷蔵室３内への侵入量は、扉の開放による外部の熱の侵入量に対して十分に小さい。このため、冷蔵室３内に制御基板２５を配置しても、貯蔵物の冷蔵保存上大きな支障はない。
【００４６】
また、発熱量が大きいコイル２５ｃ及びパワートランジスタ２５ｄを実装面２５ａの下部に配置している。これにより、電装ボックス２０内において、コイル２５ｃやパワートランジスタ２５ｄにより昇温された空気が電装ボックス２０内を上昇して自然対流が発生する。したがって、電装ボックス２０上の冷熱が伝えられた領域は自然対流によって伝熱して降温が抑制される。その結果、制御基板２５の結露を防止することができる。
【００４７】
また、蓋部２２が内箱１ｃの凹部６０の底面６１に密着しているため、蓋部２２と底面６１との間に隙間を設けた場合よりも底面６１と冷蔵庫１の外部との温度差が小さくなる。これにより、冷蔵庫１の外部から凹部６０への熱侵入量を小さくすることができる。したがって、凹部６０の形成により発泡断熱材９の厚みを小さくして凹部６０内に蓋部２２を配置しても断熱性の低下を防止することができる。
【００４８】
本実施形態によると、前面パネル１１の背面に配した断熱材１３により分岐通路１２ａ（第１分岐通路）及び分岐通路１２ｂ（第２分岐通路）を形成して冷蔵室３（貯蔵室）の壁面に取り付けられるダクトユニット１０を設け、制御基板２５がダクトユニット１０の分岐通路１２ａと分岐通路１２ｂとの間に取り付けられる。これにより、冷蔵室３内に冷気を容易に行き渡らせることができる。
【００４９】
また、分岐通路１２ａと分岐通路１２ｂとの間の空間部１５に制御基板２５を配置し、制御基板２５と圧縮機５１、温度センサ３５、送風機５や照明装置４０等の電装部品とを配線８０により容易に接続することができる。また、冷蔵室３に分岐通路１２ａ及び分岐通路１２ｂを形成する際に冷蔵室３に制御基板２５を取り付けることができる。したがって、冷蔵室３の容積効率を低下させることなく冷蔵庫１の組立性を向上させることができる。
【００５０】
また、一面を開口して制御基板２５を収納する収納部２１と、収納部２１を閉じる蓋部２２とを有した電装ボックス２０を備え、電装ボックス２０が分岐通路１２ａと分岐通路１２ｂとの間に固定される。これにより、制御基板２５をダクトユニット１０に容易に取り付けることができる。
【００５１】
また、収納部２１及び蓋部２２が難燃性を有するため、制御基板２５が発火した場合にダクトユニット１０外への類焼を防止することができる。したがって、冷蔵庫１の安全性を容易に向上させることができる。
【００５２】
また、前面パネル１１の背面に突出してネジ孔１１ｂが形成される一の突出部１１ａを設け、収納部２１及び蓋部２２にそれぞれ設けた第１挿通孔２１ａ及び第２挿通孔２２ａを突出部１１ａに挿通し、ネジ孔１１ｂにネジ１１ｃを螺合して収納部２１と蓋部２２とを一体に固定する。これにより、制御基板２５をダクトユニット１０に容易に取り付けることができる。
【００５３】
また、実装面２５ａが垂直になるように制御基板２５を配置するとともにコイル２５ｃ及びパワートランジスタ２５ｄを実装面２５ａの下部に配置している。これにより、電装ボックス２０内において、コイル２５ｃやパワートランジスタ２５ｄにより昇温された空気が電装ボックス２０内を上昇して自然対流が発生する。したがって、電装ボックス２０上の冷熱が伝えられた領域は自然対流によって伝熱して降温が抑制される。その結果、制御基板２５の結露を防止することができる。
【００５４】
また、比較的重量が大きいコイル２５ｃ及びパワートランジスタ２５ｄを実装面２５ａの下部に配置するため、コイル２５ｃ及びパワートランジスタ２５ｄを実装面２５ａの上部に配する場合よりも制御基板２５にかかるストレスを低減することができる。これにより、制御基板２５の損傷を低減することができる。
【００５５】
＜第２実施形態＞
次に、本発明の第２実施形態について説明する。図６は本実施形態の冷蔵庫のダクトユニットの背面図を示している。説明の便宜上、前述の図１〜図５に示した第１実施形態と同様の部分には同一の符号を付している。本実施形態では、収納部２３を前面パネル１１と一体に形成している点で第１実施形態とは異なっている。その他の部分は第１実施形態と同様である。
【００５６】
収納部２１と同様な形状の収納部２３は前面パネル１１の背面側に前面パネル１１と一体に形成される。収納部２３には制御基板２５が収納され、収納部２３は蓋部２２に覆われる。前面パネル１１及び蓋部２２は、アメリカ保険業者安全試験所（ＵＬ：Underwriters Laboratories Inc.）規格のグレードＶ０の難燃性樹脂により形成される。また本実施形態では、第１実施形態とは異なり、係合部１１ｈ及び係止部２１ｃが省かれている。
【００５７】
本実施形態によると、第１実施形態と同様の効果を得ることができる。また、前面パネル１１の背面側に制御基板２５を収納する収納部２３を一体に形成し、収納部２３を覆う蓋部２２を設けている。これにより、冷蔵庫１の組立性をより向上させることができる。
【００５８】
また、前面パネル１１及び蓋部２２が難燃性を有するため、制御基板２５が発火した場合にダクトユニット１０外への類焼を防止することができる。したがって、冷蔵庫１の安全性を容易に向上させることができる。
【００５９】
＜第３実施形態＞
次に、本発明の第３実施形態について説明する。図７は本実施形態の冷蔵庫のダクトユニットの側面断面図を示している。説明の便宜上、前述の図１〜図５に示した第１実施形態と同様の部分には同一の符号を付している。本実施形態では、収納部２１と前面パネル１１との間に隙間から成る空気層Ｇを設けた点で第１実施形態とは異なっている。その他の部分は第１実施形態と同様である。
【００６０】
収納部２１はリブ１１ｆ、１１ｇの側面にそれぞれ互いに対向するように突出して設けられた突出部（不図示）の背面上に配される。これにより、収納部２１と前面パネル１１との間には隙間から成る空気層Ｇが形成される。空気層Ｇにより、制御回路２５ｂの熱の冷蔵室３内への伝熱を低減することができる。
【００６１】
本実施形態によると、第１実施形態と同様の効果を得ることができる。また、収納部２１と前面パネル１１との間に形成される空気層Ｇにより、制御回路２５ｂの熱の冷蔵室３内への伝熱を低減することができる。したがって、制御回路２５ｂの熱による冷蔵室３の温度上昇を一層低減することができる。
【００６２】
なお、第１〜第３実施形態において、ダクトユニット１０を冷蔵室３の背壁面に取り付けているが、ダクトユニット１０を冷蔵室３の天井壁面や側壁面に取り付けてもよい。
【００６３】
また、第１〜第３実施形態において、内箱１ｃに凹部６０を設けているが、凹部６０を設けなくともよい。
【産業上の利用可能性】
【００６４】
本発明は、冷気通路が貯蔵室の壁面に沿って分岐する冷蔵庫に利用することができる。
【符号の説明】
【００６５】
１    冷蔵庫
１ａ  断熱箱体
１ｂ  外箱
１ｃ  内箱
２    冷凍室
２ａ  吐出口
３    冷蔵室
５    送風機
６    冷却器
７    冷気通路
８    背面板
９    発泡断熱材
１０    ダクトユニット
１１    前面パネル
１１ａ    突出部
１１ｂ    ネジ孔
１１ｃ    ネジ
１１ｄ    リブ
１１ｅ    係止部
１１ｆ、１１ｇ    リブ
１１ｈ    係合部
１２      冷気通路
１２ａ    分岐通路（第１分岐通路）
１２ｂ    分岐通路（第２分岐通路）
１３      断熱材
１４      延設部
１４ａ    吐出口
１５      空間部
１８      温度調整ツマミ
１９      ネジ
２０      電装ボックス
２１      収納部
２１ａ    第１挿通孔
２１ｂ    突設部
２１ｃ    係止部
２２      蓋部
２２ａ    第２挿通孔
２２ｂ    突設部
２３      収納部
２５      制御基板
２５ａ    実装面
２５ｂ    制御回路
２５ｃ    コイル
２５ｄ    パワートランジスタ
３０      仕切壁
３１      載置棚
３１ａ    支持部材
３２      ケース
３５      温度センサ
４０      照明装置
４１      照明カバー
５０      機械室
５１      圧縮器
６０      凹部
６１      底面
Ｇ        空気層
【図１】
0006466664.tif 000002
【図２】
0006466664.tif 000003
【図３】
0006466664.tif 000004
【図４】
0006466664.tif 000005
【図５】
0006466664.tif 000006
【図６】
0006466664.tif 000007
【図７】
0006466664.tif 000008